(57)【要約】【課題】ヒータが設けられているカセットから優先的にシートを供給させることで、シートのカールを軽減すること。【解決手段】ヒータ有無センサ８ａ、８ｂはシートＳに吸収されている水分を減少させる除湿手段が複数のシート供給装置１０２、１０３のそれぞれに設けられているかどうかを検知する。レーザビームプリンタ１は、複数のシート供給装置１０２、１０３のうちヒータ６０が設けられているシート供給装置から優先的にシートを供給させる。【選択図】図１
2017215454.tif 000002
【特許請求の範囲】
【請求項１】
画像形成のためのシートを供給する複数のシート供給手段と、
前記複数のシート供給手段に収容されているシートの水分を減少させる除湿手段が前記複数のシート供給手段のそれぞれに設けられているかどうかを検知する検知手段と、
前記複数のシート供給手段のうち前記検知手段により前記除湿手段が設けられていることが検知されたシート供給手段から優先的に画像形成のためのシートを供給させる制御手段と
を有することを特徴とする画像形成装置。
【請求項２】
前記シートにカールが発生しやすいかどうかを判定する判定手段をさらに有し、
前記制御手段は、
前記判定手段が前記シートにカールが発生しやすいと判定すると、前記除湿手段が設けられているシート供給手段から優先的にシートを供給させることを特徴とする請求項１に記載の画像形成装置。
【請求項３】
前記画像形成装置の内部の温度と湿度を検知する環境検知手段をさらに有し、
前記判定手段は、前記環境検知手段により検知される温度と湿度に基づき前記シートにカールが発生しやすいかどうかを判定することを特徴とする請求項２に記載の画像形成装置。
【請求項４】
シートの片面に画像を形成する片面モードと、シートの両面に画像を形成する両面モードを実行することができる画像形成手段をさらに有し、
前記判定手段は、前記画像形成手段により実行されるモードに基づき前記シートにカールが発生しやすいかどうかを判定することを特徴とする請求項２に記載の画像形成装置。
【請求項５】
前記画像形成装置の内部の温度と湿度を検知する環境検知手段と、
シートの片面に画像を形成する片面モードと、シートの両面に画像を形成する両面モードを実行することができる画像形成手段と、をさらに有し、
前記判定手段は、前記環境検知手段により検知される温度と湿度、および前記画像形成手段により実行されるモードに基づき前記シートにカールが発生しやすいかどうかを判定することを特徴とする請求項２に記載の画像形成装置。
【請求項６】
前記判定手段は、前記画像形成手段により片面モードが実行される場合に、前記シートにカールが発生しやすいと判定することを特徴とする請求項４または５に記載の画像形成装置。
【請求項７】
前記制御手段は、前記複数のシート供給手段のいずれにも前記除湿手段が設けられている場合、または、前記複数のシート供給手段のいずれにも前記除湿手段が設けられていない場合、前記複数のシート供給手段のうち前記画像形成手段に最も近いシート供給手段からシートを供給させることを特徴とする請求項４から６のいずれか１項に記載の画像形成装置。
【請求項８】
前記制御手段は、前記判定手段により前記シートにカールが発生しやすいと判定されない場合は、前記除湿手段が設けられていないシート供給手段から優先的にシートを供給させることを特徴とする請求項２から７のいずれか１項に記載の画像形成装置。
【請求項９】
画像形成のためのシートを供給する複数のシート供給手段と、
前記複数のシート供給手段に収容されているシートの水分を減少させる除湿手段と、を有する画像形成装置の制御方法において、
前記除湿手段が前記複数のシート供給手段のそれぞれに設けられているかどうかを検知する検知工程と、
前記検知工程において前記除湿手段が設けられていることが検知されたシート供給手段から優先的に画像形成のためのシートを供給させる供給工程と
を有することを特徴とする画像形成装置の制御方法。
【発明の詳細な説明】
【技術分野】
【０００１】
本発明はシートの除湿手段を備えた画像形成装置および制御方法に関する。
【背景技術】
【０００２】
画像の形成に熱を使用する画像形成装置では熱によってシートがカールすることがある。これはシートに熱を加えることでシートに吸収されていた水分が急激に蒸発することが原因である。蒸発する水分量が多ければ多いほど、カールが発生しやすい。また、加熱前のシートの温度と、加熱後のシートの温度との温度差が大きければ大きいほど、蒸発する水分量が多くなるため、カールが発生しやすい。特許文献１によれば、給紙トレイに設けられたヒータによりシートに含有されている水分を予め減少させておくことでシートのカールを軽減する発明が記載されている。また、特許文献１では、ヒータが装着されると、非装着時よりも定着温度を低下させることも記載されている。
【先行技術文献】
【特許文献】
【０００３】
【特許文献１】特開２００９−１５１０２１号公報
【発明の概要】
【発明が解決しようとする課題】
【０００４】
特許文献１ではカセットが一つのみであることが想定されているが、画像形成装置は複数のシート供給トレイやシート供給カセットを搭載することができる。これらはオプション装置として販売されることもある。したがって、あるカセットはヒータを備え、他のカセットはヒータを備えていないという混在した状態が発生しうる。
【０００５】
その場合、複数のカセットのうちどのカセットからシートを供給するかによってカールの低減効果が変わってくるといった課題が存在する。そこで、本発明は、除湿手段を有するシート供給手段と除湿手段を有しないシート供給手段とが混在しうる画像形成装置において、カールの影響を効果的に低減することのできる画像形成装置を提供することを目的とする。
【課題を解決するための手段】
【０００６】
本発明は、たとえば、
画像形成のためのシートを供給する複数のシート供給手段と、
前記複数のシート供給手段に収容されているシートの水分を減少させる除湿手段が前記複数のシート供給手段のそれぞれに設けられているかどうかを検知する検知手段と、
前記複数のシート供給手段のうち前記検知手段により前記除湿手段が設けられていることが検知されたシート供給手段から優先的に画像形成のためのシートを供給させる制御手段と
を有することを特徴とする画像形成装置を提供する。
【発明の効果】
【０００７】
本発明によれば、除湿手段を有するシート供給手段と除湿手段を有しないシート供給手段とが混在しうる画像形成装置において、カールの影響を効果的に低減することのできる画像形成装置が提供される。
【図面の簡単な説明】
【０００８】
【図１】画像形成装置の断面図
【図２】制御システムのブロック図
【図３】給紙制御を示すフローチャート
【図４】給紙制御を示すフローチャート
【図５】給紙制御を示すフローチャート
【図６】給紙制御を示すフローチャート
【発明を実施するための形態】
【０００９】
以下、添付図面を参照して本発明の実施形態が詳しく説明される。なお、以下の説明で使用される値は一例であり、本発明の範囲がその値にのみ限定されるわけではない。
【００１０】
＜画像形成装置＞
図１は画像形成装置の一例であるレーザビームプリンタ（ＬＢＰ）の断面図である。１はレーザビームプリンタを示している。１００はレーザビームプリンタ本体（以下、プリンタ本体という）を示している。プリンタ本体１００は、シートに画像を形成する画像形成部１０１を備えている。プリンタ本体１００の下部にはシートＳを収容する収容手段として、シート供給装置１０２、１０３が設けられている。シート供給装置１０２はカセット２ａを有している。シート供給装置１０３は、たとえば、カセット２ｂを有したオプション装置であってもよい。シート給紙装置１０２、１０３はそれぞれシートＳを画像形成部１０１に供給する。
【００１１】
ここで、画像形成部１０１は、感光体ドラム１２１、帯電器１２２、現像器１２３等を備えている。帯電器１２２は、像担持体である感光体ドラム１２１の表面を一様に帯電させる。レーザスキャナ１３は画像情報に応じた光を感光体ドラム１２１の表面に照射し、静電潜像を形成する。現像器１２３はトナーを用いて静電潜像を現像し、トナー画像を形成する。転写器１２４は感光体ドラム１２１に担持されているトナー画像をシートＳに転写する。定着器１４は、未定着のトナー画像を担持したシートＳに対して熱と圧力を加え、トナー画像をシートＳに定着させる。その後、シートＳは排出トレイ１９に排出されて積載される。
【００１２】
シート供給装置１０２、１０３において、ピックアップローラ３ａ、３ｂは、シート収容手段であるカセット２ａ、２ｂに積載されたシートＳを送り出すシート給送部である。また、ピックアップローラ３ａ、３ｂで送り出されたシートＳは、フィードローラ４ａ、４ｂによって搬送方向の下流に向けて搬送される。リタードローラ５ａ、５ｂは、フィードローラ４ａ、４ｂに圧接し、複数のシートＳから一番上のシートＳ１ａ、Ｓ１ｂを分離する。シート有無センサ６ａ、６ｂはカセット２ａ、２ｂにシートＳが積載されているかどうかを検知するセンサである。サイズセンサ７ａ、７ｂは、カセット２ａ、２ｂに積載されているシートＳのサイズ（例：Ａ４、Ａ４Ｒ、Ｂ４）を検知するセンサである。ヒータ有無センサ８ａ、８ｂは、シートＳに含有されている水分を除湿するためにシートＳに熱を加えるヒータ６０が取り付けられているかどうかを検知するセンサである。
【００１３】
シート供給装置１０２は画像形成部１０１の近くに配置されているため、上段トレイや上段カセットと呼ばれてもよい。シート供給装置１０３は画像形成部１０１から遠く離れて配置されているため、下段トレイや下段カセットと呼ばれてもよい。シート供給装置１０３はレーザビームプリンタ１に提供されているオプション装置であってもよい。ヒータ６０もオプション装置であってもよい。
【００１４】
レジセンサ１０はレジストレーションローラ対１１の上流に配置されたシートセンサである。レジセンサ１０は、対向するように配置された発光素子と受光素子を有し、さらに、シートＳが接触すると回動する遮光板を有する。シートＳが通過している間は遮光板が回動して光を遮ることで、レジセンサ１０はシートＳを検知する。シートＳは、回転停止しているレジストレーションローラ対１１に搬送される。シートＳの先端がレジストレーションローラ対１１に押し当てられることにより先端位置合わせ（斜行補正）が行われる。レジセンサ１０がシートＳを検知したことを示す検知信号を出力すると、レーザスキャナ１３がレーザ光の出力を開始する。感光体ドラム１２１に形成される画像が転写器１２４に到着するタイミングと、シートＳが転写器１２４に到着するタイミングとが一致するように、レジストレーションローラ対１１が回転を開始する。これにより、シートＳの所望の位置に画像が転写される。
【００１５】
フラッパ２７は、定着器１４から排出されたシートＳの搬送先を切り替える。片面印刷（片面モード）が完了した場合および両面印刷（両面モード）における２面目の印刷が完了した場合、フラッパ２７は、シートＳを排出トレイ１９へ誘導する。一方、両面印刷における１面目の印刷が完了した場合、フラッパ２７はシートＳを反転ローラ３２に誘導する。反転ローラ３２はシートＳを反転退避パス２３へ送り込む。その後、反転ローラ３２が回転方向を逆転し、シートＳを両面パス２６へ送り込む。両面ローラ３３、３４はシートＳを搬送路合流点へ戻し、レジストレーションローラ対１１にシートＳを当接させる。その後、画像形成部１０１は、シートＳの２面目に画像を形成する。フラッパ２７は、両面印刷が完了したシートＳを排出トレイ１９へ誘導する。
【００１６】
プリンタ本体１００の内部には、環境パラメータを検知する環境検知手段として、温度センサ７１と湿度センサ７２とを有している。一般に、環境パラメータは定着器１４の定着温度を決定するために使用される。本実施例では、環境パラメータが、シート供給装置１０２、１０３のいずれかを選択するために使用されてもよい。
【００１７】
＜制御システム＞
図２はレーザビームプリンタ１を制御する制御システムの機能を示すブロック図である。マイコン５００はプリンタ本体１００の制御手段としてのマイクロコントローラ（以下、マイコンと呼ぶ）である。ＣＰＵ５０１は、ＲＯＭ５０２に記憶されている制御手順（制御プログラム）を実行することでレーザビームプリンタ１の各部を制御する。ＲＡＭ５０３は入力データを記憶したり、作業用記憶領域を提供したりする主記憶装置やランダムアクセスメモリである。
【００１８】
Ｉ／Ｏ５０４は、モータ等の負荷に対する制御信号を出力したり、センサ等の検知信号を入力したりするための入出力制御部である。ＣＰＵ５０１は、シート有無センサ６ａ、６ｂからの検知信号に基づきシートＳの有無を判定するシート判定手段として機能する。ＣＰＵ５０１は、サイズセンサ７ａ、７ｂからの検知信号に基づきシートＳのサイズを特定するサイズ特定手段として機能する。ＣＰＵ５０１は、ヒータ有無センサ８ａ、８ｂからの検知信号に基づきヒータ６０の有無を判定するヒータ判定手段として機能する。また、ＣＰＵ５０１は環境パラメータに基づきカールが発生しやすいかどうかを判定するカール判定手段として機能してもよい。
【００１９】
ＣＰＵ５０１は、環境パラメータ、シートＳの有無、シートＳのサイズ、ヒータ６０の有無などに応じてシート供給装置１０２、１０３のうちいずれかを選択する。シート供給装置１０２が選択されると、ＣＰＵ５０１は、給送モータＭ１ａを駆動することで、ピックアップローラ３ａ、フィードローラ４ａ、リタードローラ５ａを回転させる。シート供給装置１０３が選択されると、ＣＰＵ５０１は、給送モータＭ１ｂを駆動することで、ピックアップローラ３ｂ、フィードローラ４ｂ、リタードローラ５ｂを回転させる。ＣＰＵ５０１は、メインモータＭ２を駆動することで、レジストレーションローラ対１１および感光体ドラム１２１を回転させる。ＣＰＵ５０１は、定着モータＭ３を駆動することで定着器１４の定着フィルムや加圧ローラを回転させる。また、ＣＰＵ５０１は反転モータＭ４を駆動することで、反転ローラ３２および両面ローラ３３、３４を回転させる。ＣＰＵ５０１は反転ソレノイドＳＬを駆動することでフラッパ２７の位置を切り替える。
【００２０】
コントローラ６００は操作部５５０やホストコンピュータＰＣに情報を出力したり、これらから指示を受け付けたりする制御部である。コントローラ６００はインターフェースＩＦを介してマイコン５００に印刷指示を送信する。
【００２１】
＜フローチャート＞
（１）ヒータの有無に基づく優先制御
図３を用いて複数のシート供給装置のうちヒータ６０が設けられているシート供給装置から優先的にシートを供給させる制御について説明する。ＣＰＵ５０１はコントローラ６００からシートの供給要求を受信すると、以下の処理を実行する。なお、ＣＰＵ５０１は、事前にすべてのシート供給装置のシートの有無とシートサイズとを判別し、要求されたサイズのシートを収容しているシート供給装置を供給候補として選別しておいてもよい。以下では、複数の供給候補が見つかったことが前提となっている。もし、一つの供給候補しか存在しなければ、選択の余地がないからである。図１、図２では二つのシート供給装置しか例示されていないが、本発明の技術思想は３台以上のシート供給装置を有した画像形成装置にも適用可能である。
【００２２】
Ｓ１０１でＣＰＵ５０１は複数の供給候補（シート供給装置）のそれぞれについてヒータ６０の有無を特定する。ＣＰＵ５０１はヒータ有無センサ８ａ、８ｂを用いてヒータ６０の有無を特定する。
【００２３】
Ｓ１０２でＣＰＵ５０１は複数の供給候補のうち一部の供給候補にのみヒータ６０が存在するかどうかを判定する。一部の供給候補にのみヒータ６０が存在する場合は、Ｓ１０３に進む。
【００２４】
Ｓ１０３でＣＰＵ５０１はヒータ６０のあるシート供給装置から優先的にシートＳを供給させる。たとえば、シート供給装置１０２がヒータ６０を有せず、シート供給装置１０３がヒータ６０を有している場合、ＣＰＵ５０１は供給モータＭ１ｂを駆動してシートＳをシート供給装置１０３から供給する。これにより、事前にヒータ６０により除湿されたシートＳが供給されるため、シートＳのカールが軽減される。
【００２５】
一方で、すべての供給候補がヒータ６０を備えている場合、または、すべての供給候補がヒータ６０を備えていない場合は、Ｓ１０４に進む。Ｓ１０４でＣＰＵ５０１は複数の供給候補のうち画像形成部１０１に対して近い供給候補から優先的にシートを供給させる。たとえば、シート供給装置１０２とシート供給装置１０３がいずれもヒータ６０を備えていれば、ＣＰＵ５０１は、画像形成部１０１に近いシート供給装置１０２からシートＳを供給させる。これにより、シートＳのカールを軽減しつつ、シートＳの搬送時間や画像形成時間を短くすることが可能となる。なお、シート供給装置１０２とシート供給装置１０３がいずれもヒータ６０を備えていなければ、ＣＰＵ５０１は、画像形成部１０１に近いシート供給装置１０２からシートＳを供給させる。これにより、シートＳのカールを軽減することはできないが、シートＳの搬送時間や画像形成時間を短くすることが可能となる。
【００２６】
（２）ヒータの有無とカール条件に基づく優先制御
図４を用いてカール条件をさらに考慮した制御について説明する。ここでは、シートＳにカールが発生しやすい環境パラメータをカール条件と呼ぶことにする。カール条件が満たされていれば、カールを低減すべく、ヒータ６０が設けられているシート供給装置から優先的にシートＳが供給される。一方、カール条件が満たされていなければ、除湿されたシートＳを節約すべく、ヒータ６０が設けられていないシート供給装置から優先的にシートが供給される。なお、図３を用いて説明したことの重複説明は省略される。
【００２７】
図４と図３とを比較すると分かるように、Ｓ１０２とＳ１０３との間にＳ２０１とＳ２０２が追加されている。つまり、複数の供給候補のうち一部の供給候補にのみヒータ６０がある場合、Ｓ２０１に進む。
【００２８】
Ｓ２０１でＣＰＵ５０１は環境センサ（例：温度センサ７１、湿度センサ７２）を用いて環境パラメータを取得する。
【００２９】
Ｓ２０２でＣＰＵ５０１は環境パラメータがカール条件を満たしているかどうかを判定する。たとえば、カール条件は、レーザビームプリンタ１の内部温度が７０℃以上であり、かつ、内部湿度が８０％以上であることである。カール条件が満たされていれば、カールを軽減すべく、ＣＰＵ５０１はＳ１０３に進む。これにより、ヒータ６０を有したシート供給装置から、除湿されたシートＳが供給され、カールが軽減される。一方で、カール条件が満たされていなければ、Ｓ３０３に進む。これにより、ヒータ６０を有していないシート供給装置から優先的にシートＳが供給されるため、ヒータ６０により十分に除湿されたシートＳを温存（保存）することが可能となる。つまり、ヒータ６０により十分に除湿されたシートＳが節約される。
【００３０】
（３）ヒータの有無と印刷モード（片面印刷／両面印刷）に基づく優先制御
図５を用いて印刷モードを考慮した制御について説明する。ここでは、片面印刷指示が受け付けられると、ヒータ６０が設けられているシート供給装置から優先的にシートＳが供給される。一方で、両面印刷指示が受け付けられると、ヒータ６０が設けられていないシート供給装置から優先的にシートＳが供給される。なお、図３などを用いてすでに説明したことの重複説明は省略される。
【００３１】
図５と図３とを比較すると分かるように、Ｓ１０２とＳ１０３との間にＳ３０１とＳ３０２が追加されている。さらに、Ｓ３０３も追加されている。なお、複数の供給候補のうち一部の供給候補にのみヒータ６０がある場合、Ｓ１０２からＳ３０１に進む。
【００３２】
Ｓ３０１でＣＰＵ５０１はコントローラ６００から受信した印刷ジョブや印刷指示を解析し、印刷モードを特定する。
【００３３】
Ｓ３０２でＣＰＵ５０１は印刷モードが片面印刷であるかどうかを判定する。印刷モードが片面印刷であれば、カールを軽減すべく、ＣＰＵ５０１はＳ１０３に進む。これにより、ヒータ６０を有したシート供給装置から、除湿されたシートＳが供給され、カールが軽減される。一方で、印刷モードが両面印刷であれば、ＣＰＵ５０１はＳ３０３に進む。
【００３４】
Ｓ３０３でＣＰＵ５０１はヒータ６０のない供給候補から優先的にシートＳを供給する。両面印刷モードで発生するカール量は片面印刷モードで発生するカール量よりも小さい。また、ヒータ６０により十分に除湿したり、除湿されたシートＳについて片面印刷のために貯蔵しておいたりしたほうが、片面印刷でのカール量を軽減することができる。したがって、両面印刷モードではヒータ６０のない供給候補から優先的にシートＳが供給される。
【００３５】
（４）ヒータの有無、カール条件および印刷モードに基づく優先制御
図６を用いてヒータの有無、カール条件および印刷モードを考慮した制御について説明する。図５などを用いてすでに説明したことの重複説明は省略される。
【００３６】
図３ないし図６を比較すると分かるように、Ｓ１０２とＳ１０３との間にＳ２０１、Ｓ２０２、Ｓ３０１およびＳ３０２が追加されている。さらに、Ｓ３０３も追加されている。なお、カール条件が満たされている場合に、Ｓ２０２からＳ３０１に進む。
【００３７】
したがって、すべての供給候補がヒータ６０を備えている場合、または、すべての供給候補がヒータ６０を備えていない場合、ＣＰＵ５０１はＳ１０４に進む。これにより、複数の供給候補のうち画像形成部１０１に対して近い供給候補から優先的にシートＳが供給される。また、シートＳの搬送時間や画像形成時間を短くすることが可能となる。
【００３８】
一部の供給候補にのみヒータ６０が存在し、かつ、カール条件が満たされており、かつ、片面印刷が指示されている場合、ＣＰＵ５０１はＳ１０３に進む。ＣＰＵ５０１はヒータ６０のあるシート供給装置から優先的にシートＳを供給させる。これにより、事前にヒータ６０により除湿されたシートＳが供給されるため、シートＳのカールが軽減される。
【００３９】
一方で、一部の供給候補にのみヒータ６０が存在する場合で、カール条件が満たされており、かつ、両面印刷が指示されている場合、またはカール条件が満たされていない場合、ＣＰＵ５０１はＳ３０３に進む。また、Ｓ３０３でＣＰＵ５０１はヒータ６０のない供給候補から優先的にシートＳを供給する。これにより、ヒータ６０により十分に除湿されたシートＳを片面印刷のために温存（保存）することが可能となる。つまり、ヒータ６０により十分に除湿されたシートＳが節約される。
【００４０】
（５）その他
Ｓ１０３ではヒータ６０を備えたシート供給装置から優先的にシートＳが供給される。これは、ヒータ６０を備えたシート供給装置であっても、シートＳをすべて使い切ってしまっていたり、指定されたシートＳとは異なるシートＳを収容していたりする場合、ヒータ６０を備えていないシート供給装置がシートＳを供給することを暗示している。これは、カールの軽減よりも、画像形成の実行を優先するためである。
【００４１】
Ｓ１０４では画像形成部１０１に近いシート供給装置から優先的にシートＳが供給される。ただし、最も近いシート供給装置がシートＳをすべて使い切ってしまっていたり、指定されたシートＳとは異なるシートＳを収容していたりする場合、二番目に近いシート供給装置がシートＳを供給することを暗示している。
【００４２】
Ｓ３０３ではヒータ６０を有していないシート供給装置から優先的にシートが供給される。ただし、ヒータ６０を有していないシート供給装置が存在しなければ、ヒータ６０を有しているシート供給装置がシートＳを供給することを暗示している。
【００４３】
Ｓ１０３、Ｓ３０３で複数の供給候補が存在する場合、ＣＰＵ５０１は、そのうちで画像形成部１０１に最も近い供給候補を選択する。なお、ＣＰＵ５０１は、各シート供給装置の接続位置（何段目に接続されているか）を示す情報をＲＯＭ５０２またはＲＡＭ５０３に記憶して管理している。最も上段に接続されているシート供給装置は画像形成部１０１に最も近いシート供給装置である。反対に、最も下段に接続されているシート供給装置は画像形成部１０１に最も遠いシート供給装置である。ＣＰＵ５０１は各シート供給装置の位置を示す情報を参照して画像形成部１０１に最も近いシート供給装置を判別してもよい。
【００４４】
＜まとめ＞
図１などを用いて説明したように、シート供給装置１０２、１０３はシートＳを収容する複数のシート供給手段の一例である。ヒータ有無センサ８ａ、８ｂはシートＳの水分を減少させる除湿手段（例：ヒータ６０）が複数のシート供給装置１０２、１０３のそれぞれに設けられているかどうかを検知する検知手段の一例である。なお、ヒータ有無センサ８ａ、８ｂはヒータ６０が取り付けられるとオンとなり、ヒータ６０が取り外されるとオフとなるスイッチなどであってもよい。図３を用いて説明したように、ＣＰＵ５０１は、シートのカールが発生しやすい画像形成条件かどうかを判定する判定手段として機能し、さらにシートのカールが発生しやすい画像形成条件であると判定される場合に複数のシート供給装置１０２、１０３のうちセンサによりヒータ６０が設けられていることが検知されたシート供給装置から優先的にシートを供給させる制御手段として機能する。これにより、シートのカールが発生しやすい画像形成条件の場合に、除湿手段が設けられているシート供給手段から優先的にシートが供給されるため、シートＳのカールの影響が効果的に低減される。
【００４５】
また、シートのカールが発生しやすい画像形成条件であると判定されない場合は、ヒータ６０が設けられていないことが検知されたシート供給装置から優先的にシートが供給されるため、ヒータ６０により十分に除湿されたシートが節約され、シートのカールが発生しやすい画像形成条件のときに十分に除湿されたシートを使用することができる。
【００４６】
なお、本実施形態では、シートのカールが発生しやすい画像形成条件として片面印刷を例に挙げたが、定着温度がより高温の場合に水分が多く蒸発してカールが発生しやすいということから、定着温度が高温の場合にカールが発生しやすい画像形成条件であると判定してもよい。
【００４７】
またシートの種類に応じて、吸湿しやすいシート材質の場合にカールが発生しやすい画像形成条件であると判定してもよい。
【符号の説明】
【００４８】
１…レーザビームプリンタ、１０２、１０３…シート供給装置、１０１…画像形成部、１４…画像形成部、８ａ、８ｂ…ヒータ有無センサ、５０１…ＣＰＵ
【図１】
2017215454.tif 000003
【図２】
2017215454.tif 000004
【図３】
2017215454.tif 000005
【図４】
2017215454.tif 000006
【図５】
2017215454.tif 000007
【図６】
2017215454.tif 000008